(57)【要約】【課題】樹脂製またはゴム製の被膜として安価に形成できるレンズ保護部材およびその形成方法、ならびにそのレンズ保護部材を用いたレンズホルダを提供する。【解決手段】光ディスクの情報記録面にレーザ光を集光させる光ピックアップ装置１において対物レンズ４を保持するレンズホルダ２に、上記対物レンズ４よりも上記光ディスク側へ突出して形成され、上記対物レンズ４と上記光ディスクとの当たりを防止するレンズ保護部材３が形成されたレンズホルダ２であって、上記レンズ保護部材３が、ディスペンサを用いて形成された被膜である。【選択図】図１
2008097746.tif 000002
【特許請求の範囲】
【請求項１】
光ディスクの情報記録面にレーザ光を集光させる光ピックアップ装置において対物レンズを保持するレンズホルダに、前記対物レンズよりも前記光ディスク側へ突出して形成され、前記対物レンズと前記光ディスクとの当たりを防止するレンズ保護部材であって、
該レンズ保護部材は、ディスペンサを用いて形成された被膜であることを特徴とするレンズ保護部材。
【請求項２】
請求項１項記載のレンズ保護部材の形成方法であって、
該形成方法は、樹脂成分またはゴム成分を有機溶媒に分散または溶解させる塗布液作成工程と、対物レンズを保持するレンズホルダにディスペンサにより前記塗布液を塗布する塗布工程と、塗布後、樹脂成分またはゴム成分を含む被膜を前記レンズホルダに形成する被膜形成工程とを含むことを特徴とするレンズ保護部材の形成方法。
【請求項３】
光ディスクの情報記録面にレーザ光を集光させる光ピックアップ装置において対物レンズを保持するレンズホルダに、前記対物レンズよりも前記光ディスク側へ突出して形成され、前記対物レンズと前記光ディスクとの当たりを防止するレンズ保護部材が形成されたレンズホルダであって、
前記レンズ保護部材が、請求項１記載のレンズ保護部材であることを特徴とするレンズホルダ。
【発明の詳細な説明】
【技術分野】
【０００１】
本発明は光ピックアップ装置に用いられるレンズホルダ、レンズ保護部材およびレンズ保護部材の形成方法に関するものである。
【背景技術】
【０００２】
ＣＤ( compact disc )やＤＶＤ( digital versatile disc )等の光ディスクが剥き出しのまま挿入される光ディスク再生装置の光ピックアップ装置は、光ディスクの情報記録面にレーザ光を焦点合わせする対物レンズが、光ディスクと 1〜3 mm 程度の狭い間隔で配置されている。この光ディスクと対物レンズの間隔は、光ディスクの情報記録密度の増大に伴って、さらに狭くなり、ＢＤ（ blue-ray disc ）では 0.1〜0.3 mm となる。なお、対物レンズは、レーザ光のフォーカス調整とトラッキング調整のために、それぞれ光ディスク面と直交方向および光ディスクの半径方向に、その保持部とともに移動されるようになっている。
【０００３】
このため、このような光ピックアップ装置では、振動や衝撃等により互いに近接した対物レンズと光ディスクとが当たり、光ディスクの情報記録面や対物レンズに傷が付くことがあり、この当たりを防止するために、対物レンズの保持部に、対物レンズよりも光ディスク側へ突出する軟質のレンズ保護部材を設けたものがある。
【０００４】
このレンズ保護部材としては、光ディスク材よりも軟質のプラスチックで形成した突出部を付加したもの（特許文献１参照）、シリコーンゴムで成形したプロテクタを装着したもの（特許文献２参照）、ウレタン樹脂からなる被膜をスプレーコーティングにて形成したもの（特許文献３参照）等がある。
【０００５】
振動や衝撃等により保護部材が光ディスクに接触した場合に、情報記録面に傷が付くことを防止するために、保護部材としては、光ディスクとの接触時の衝撃を吸収することができるゴムなどの弾性体であることが好ましい。
ＢＤにおける光ディスクと対物レンズとの間隔は、0.1〜0.3 mm と極めて狭いため、保護部材に求められる厚み精度は厳しくなっている。そのため、ピックアップに別体の樹脂またはゴム製の保護部材を装着する方法では、保護部材自身の厚み精度、装着の精度が悪く、要求を満足しない。
そこで、光ピックアップ装置に直接、保護部材として樹脂製のスプレーコーティング被膜を形成する方法が採用されている。この被膜は 0.3 mm 以下と薄いため、厚み精度を確保することができる。しかし、スプレーコーティングでは、液貯蔵タンク内のコーティング液（樹脂成分、添加剤を分散または溶解させた有機溶媒）を圧送などの方法にてスプレーガンまで送り、エアで霧状にし、ピックアップにおいて保護部材を必要としない大部分をマスキングし、ピックアップ全体をスプレーコーティングしている。したがって、コーティング液の塗着効率は極めて低く、マスキング工程が必要となるため、高価になるという問題がある。
【特許文献１】特開平２−５４４３３号公報
【特許文献２】特開平１１−３１２３２２号公報
【特許文献３】特開２００３−２４２７０３号公報
【発明の開示】
【発明が解決しようとする課題】
【０００６】
本発明はこのような問題に対処するためになされたもので、樹脂製またはゴム製の被膜として安価に形成できるレンズ保護部材およびその形成方法、ならびにそのレンズ保護部材を用いたレンズホルダを提供することを目的とする。
【課題を解決するための手段】
【０００７】
本発明のレンズ保護部材は、光ディスクの情報記録面にレーザ光を集光させる光ピックアップ装置において対物レンズを保持するレンズホルダに、上記対物レンズよりも上記光ディスク側へ突出して形成され、上記対物レンズと上記光ディスクとの当たりを防止するレンズ保護部材であって、該レンズ保護部材は、ディスペンサを用いて形成された被膜であることを特徴とする。
ここで、ディスペンサとは、ニードルまたはノズルの先端から塗布液を吐出して、基材の微小表面に塗布する装置全体のことをいう。
【０００８】
本発明のレンズ保護部材の形成方法は、上記レンズ保護部材の形成方法であって、該形成方法は樹脂成分またはゴム成分を有機溶媒に分散または溶解させる塗布液作成工程と、対物レンズを保持するレンズホルダにディスペンサにより上記塗布液を塗布する塗布工程と、塗布後、樹脂成分またはゴム成分を含む被膜を上記レンズホルダに形成する被膜形成工程とを含むことを特徴とする。
【０００９】
本発明のレンズホルダは、光ディスクの情報記録面にレーザ光を集光させる光ピックアップ装置において対物レンズを保持するレンズホルダに、上記対物レンズよりも上記光ディスク側へ突出して形成され、上記対物レンズと上記光ディスクとの当たりを防止するレンズ保護部材が形成されたレンズホルダであって、上記レンズ保護部材が、ディスペンサを用いて形成された被膜であることを特徴とする。
【発明の効果】
【００１０】
本発明のレンズ保護部材は、光ディスクの情報記録面にレーザ光を焦点合わせする光ピックアップ装置のレンズホルダに、ディスペンサを用いて形成されるので、微小な開口部を有するノズル先端から塗布液を直線状に吐出でき、レンズホルダ表面の必要な部位にのみ被膜の形成ができる。したがって塗布液の損失が少ないため、樹脂製またはゴム製の被膜である該レンズ保護部材を、スプレーコーティングの場合よりも高い塗着効率で所定の厚みに、安価に形成できる。
【００１１】
本発明のレンズ保護部材の形成方法は、塗布液をディスペンサによりレンズホルダに塗布する塗布工程を有するので、微小な開口部を有するノズル先端から塗布液を直線状に吐出でき、レンズホルダ表面の必要な部位にのみ塗布することができる。したがって塗布液の損失が少ないため、塗着効率の高い樹脂製またはゴム製の被膜が得られる。
【００１２】
本発明のレンズホルダは、対物レンズよりも光ディスク側へ突出して、対物レンズと光ディスクとの当たりを防止するレンズ保護部材を設けたレンズホルダであって、このレンズ保護部材がディスペンサを用いて形成されるので、微小な開口部を有するノズル先端から塗布液を直線状に吐出でき、レンズホルダ表面の必要な部位にのみ被膜の形成ができる。したがって塗布液の損失が少ないため、樹脂製またはゴム製の被膜である該レンズ保護部材を、必要な部位に高い塗着効率で所定の厚みに、安価に形成できる。この結果、光ディスクの傷付きを確実に防止できるとともに、レンズホルダの製造コストを安くできる。
【発明を実施するための最良の形態】
【００１３】
本発明のレンズホルダの一例を図１に示す。図１はレンズホルダを備える光ピックアップ装置の一例を示す図であり、図１（ａ）は光ディスク方向から見た概略平面図を、図１（ｂ）は図１のＡ−Ａ拡大断面図の一例である。
図１（ａ）および図１（ｂ）に示すように、光ピックアップ装置１は、光ディスク（図示省略）の情報記録面にレーザ光を集光させる対物レンズ４と、対物レンズ４を保持するレンズホルダ２とを備え、レンズホルダ２に、対物レンズ４よりも光ディスク側へ突出して、対物レンズ４と光ディスクとの当たりを防止するレンズ保護部材３を設けたものである。このレンズ保護部材３は、樹脂成分またはゴム成分を含む塗布液をディスペンサにより上記レンズホルダ２に塗布して形成された被膜である。
【００１４】
レンズ保護部材を形成するためのディスペンサとしては、武蔵エンジニアリング社製ディスペンサ、サンエイテック社製ディスペンサなどがあるが特に限定されるものではない。
また、ディスペンサとしては、ニードルまたはノズルの先端から液を吐出して、レンズホルダ表面に吐出液を接触させ塗布するエア式と、液をノズル先端から飛ばし非接触状態で塗布するジェット式などがあるが、どの方式を採用してもよい。
【００１５】
本発明に用いるディスペンサの一例を図２に基づき説明する。図２はエア式のディスペンサの概略図である。
図２に示すように、ディスペンサ５は筒状の容器（以下、「シリンジ」と記す）８と、エア供給を制御するコントローラ１４と、両者を結ぶエアチューブ１５およびケーブル１３とから構成される。
シリンジ８には塗布液７が貯留され、シリンジ８の一端はアダプタ６を介してエアチューブ１５に接続され、シリンジ８の胴部９に取り付けバンド１２を介して吐出スイッチ１１が取り付けられ、吐出スイッチ１１はケーブル１３を介してコントローラ１４に接続されている。シリンジ８の他端には基材（図示せず）に塗布液７を吐出するためのノズル１０が設けられている。
吐出スイッチ１１の操作によりケーブル１３を介してコントローラ１４が作動し、供給時間や供給量が制御されたエアが、エアチューブ１５およびアダプタ６を経由してシリンジ８に供給され、シリンジ８に貯留されている塗布液７が背圧を受けて、ノズル１０から吐出される。
吐出スイッチ１１の操作については、例えば、シリンジ８を片手に持ち、ノズル１０の吐出口を所望の吐出位置に配置させ、シリンジ８を保持する手の人差し指で吐出スイッチ１１のオン−オフ操作を行なうことができる。また、プログラミングにより全自動化することも可能である。
なお、ディスペンサ５において、シリンジ８の形状やサイズ、ノズルの材質等は、レンズ保護部材を形成するために吐出される塗布液の量やレンズホルダの寸法等に応じて適宜決定できる。
【００１６】
本発明のレンズ保護部材を形成するためにレンズホルダに塗布する塗布液は、樹脂成分またはゴム成分を有機溶剤に分散または溶解して作製し、塗布液の粘度は有機溶剤の増減によって調整することができる。
樹脂成分としては、ポリイミド樹脂、ポリアミドイミド樹脂、フッ素樹脂、エポキシ樹脂、ウレタン樹脂などが挙げられる。ゴム成分としては、シリコーンゴム、ウレタンゴムなどが挙げられる。これらの各成分は単独でも、２種類以上を混合して用いてもよい。また、これら母材となる樹脂成分またはゴム成分に低摩擦性、耐摩耗性を賦与するために、ポリテトラフルオロエチレン（ＰＴＦＥ）樹脂等のフッ素樹脂、黒鉛などを配合することが好ましい。
本発明で使用できる有機溶剤としては、Ｎ，Ｎ-ジメチルホルムアミド、Ｎ，Ｎ-ジメチルアセトアミド、Ｎ-メチル-２-ピロリドン（ＮＭＰ）、メチルエチルケトン、メチルグリコールアセテート、２-ニトロプロパン、エチレングリコールアセテート、トルエン、クレシル酸などが挙げられ、これらの混合物であってもよい。塗布液は、１液タイプ、２液タイプのどちらでもよい。
【００１７】
本発明のレンズ保護部材の形成方法は、樹脂成分またはゴム成分を有機溶媒に分散または溶解させる塗布液作成工程と、対物レンズを保持するレンズホルダにディスペンサにより塗布液を塗布する塗布工程と、塗布後、樹脂成分またはゴム成分を母材とする被膜をレンズホルダに形成する被膜形成工程とを有する。
塗布液作成工程についてはレンズ保護部材である被膜に付与する物性に応じて上述の樹脂成分、ゴム成分および有機溶媒を選択し、通常用いられる撹拌機を用いて樹脂成分、ゴム成分を有機溶媒に分散または溶解させ、塗布液を作製する工程である。
塗布工程については塗布液作成工程で得られた塗布液を、例えば図２に示すディスペンサ５のシリンジ８に投入し、アダプタ６および吐出スイッチ１１をシリンジ８に取り付けた後、シリンジ８を片手に持ち、ノズル１０の吐出口を所望の吐出位置に配置させ、シリンジ８を保持する手の人差し指で吐出スイッチ１１のオン−オフ操作によりレンズホルダ（図示せず）表面に塗布する工程である。ディスペンサ５を用いることにより、この工程では微小な開口部を有するノズル１０先端から塗布液を直線状に吐出できるのでレンズホルダ表面の必要な部位にのみ塗布することができる。したがって塗布液の損失が少ないため、塗着効率の高い塗膜が得られる。
被膜形成工程については樹脂成分、ゴム成分によって異なるが、焼成工程を経てレンズ保護部材を得る工程である。
【００１８】
本発明のレンズ保護部材を用いることにより、光ディスク表面とレンズ保護部材とが接触した場合においても、対物レンズや光ディスク記録面の傷付きを防止できる安定した記録再生ができるレンズホルダが安価に得られる。
【実施例】
【００１９】
実施例１
図１に示す光ピックアップ装置１のレンズホルダ２を（レンズ孔径約 φ 3 mm ）を、光ディスク対向面を上面にして、台上に載置した。ＰＴＦＥとポリウレタンビーズを分散したポリエステルポリオールとトリレンジイソシアネートの混合液をメチルエチルケトンおよび酢酸ブチルに溶解した塗布液を武蔵エンジニアリング社製ディスペンサを構成する図２に示すシリンジに投入した。このシリンジをセットしたディスペンサを用いてレンズホルダ２の上表面に塗布した。レンズホルダ２上に塗布した塗布液を乾燥させた後、80℃で 60分間焼成した。焼成した後、室温まで自然冷却し、レンズホルダ２上表面にウレタン樹脂の被膜からなるレンズ保護部材３を得た。塗着効率（塗着量／使用量 ×100）は 100％であった。結果を表１に示す。
【００２０】
比較例１
マスキング部材として、コーティング面形状にパンチングで切り抜いたステンレス製のマスキングプレート（厚さ 3 mm ）を準備した。コーティングプレートにレンズホルダ２を（レンズ孔径約 φ 3 mm ）を光ディスク対向面を上面にして挿入載置した。この上方にマスキングプレートを 0.3 mm の隙間を設けて固定した。実施例１と同様の塗布液を有するスプレーを用いて、マスキングプレートの上部からスプレーコートし塗布液が乾かないうちにマスキングプレートだけを取外した。レンズホルダ２上に塗布した塗布液を乾燥させた後、80℃で 60 分間焼成した。焼成した後、室温まで自然冷却し、レンズホルダ２上表面にウレタン樹脂の被膜からなるレンズ保護部材３を得た。塗着効率（塗着量／使用量 ×100）は 20％であった。結果を表１に併記する。
【００２１】
【表１】
2008097746.tif 000003
表１に示すように、実施例１は必要な部位にのみ塗布できるので塗着効率が高いのに対し、比較例１は塗着効率が低い。
【産業上の利用可能性】
【００２２】
本発明のレンズ保護部材は、樹脂製またはゴム製の被膜を、ディスペンサによって安価に効率よく形成できるので、ＤＶＤやヘリウムネオンレーザーを用いた光ピックアップ装置（ブルーレイディスクなど）のレンズ保護部材として好適に利用できる。
【図面の簡単な説明】
【００２３】
【図１】本発明のレンズホルダを備える光ピックアップ装置の部分断面図である。
【図２】エア式のディスペンサの概要図である。
【符号の説明】
【００２４】
１  光ピックアップ装置
２  レンズホルダ
３  レンズ保護部材
４  対物レンズ
５  ディスペンサ
６  アダプタ
７  塗布液
８  シリンジ
９  胴部
１０  ノズル
１１  吐出スイッチ
１２  取り付けバンド
１３  ケーブル
１４  コントローラ
１５  エアチューブ
【図１】
2008097746.tif 000004
【図２】
2008097746.tif 000005